(57)【特許請求の範囲】
【請求項１】
モバイル・デバイス上でのコンテンツ閲覧を管理するための方法であって、
コンテンツのレーティングを、セキュア・ストレージに保持されたしきい値と比較することと、
前記コンテンツのレーティングと、前記保持されたしきい値との比較結果に基づいて、前記コンテンツが閲覧可能かどうかを定式化することと、
前記コンテンツをサービス・プロバイダから受信することと、
前記コンテンツを認証することと、
前記セキュア・ストレージをしきい値に関してプログラムするコマンド・セットを受信すること、
前記受信したコマンド・セットにしたがって前記セキュア・ストレージをプログラムすること
を備える方法。
【請求項２】
前記しきい値を含む要求書を送信することをさらに備え、
前記プログラムするコマンド・セットは、前記要求書に含まれるしきい値に基づく請求項１に記載の方法。
【請求項３】
前記要求書を収集することをさらに備える請求項２に記載の方法。
【請求項４】
前記収集された要求書は、コンテンツ・サービス・プロバイダから提供される請求項３に記載の方法。
【請求項５】
前記コンテンツが閲覧可能かを定式化することであって、前記比較が好結果である場合、前記コンテンツが閲覧されることを許可し、前記比較が好結果ではない場合、前記コンテンツが閲覧されることを拒否することをさらに備える請求項１に記載の方法。
【請求項６】
好結果の比較とは、前記コンテンツのレーティングが、前記しきい値以下であるか、あるいは、前記しきい値未満である請求項５に記載の方法。
【請求項７】
無線通信システムにおいて動作する装置であって、
コンテンツのレーティングを、セキュア・ストレージに保持されたしきい値と比較し、前記コンテンツのレーティングと、前記保持されたしきい値との比較結果に基づいて、前記コンテンツが閲覧可能かどうかを定式化し、前記コンテンツをサービス・プロバイダから受信し、前記コンテンツを認証するように構成された少なくとも１つのプロセッサと、
前記少なくとも１つのプロセッサに接続されたメモリと、
前記セキュア・ストレージを前記しきい値に関してプログラムするコマンド・セットを取得する受信機と、
前記受信したコマンド・セットにしたがって、前記セキュア・ストレージを符号化するプログラマと
を備える装置。
【請求項８】
前記しきい値を含む要求書を送信する送信機をさらに備え、
前記プログラムするコマンド・セットは、前記要求書に含まれるしきい値に基づく請求項７に記載の装置。
【請求項９】
前記要求書を収集するコレクタをさらに備える請求項８に記載の装置。
【請求項１０】
前記収集された要求書は、コンテンツ・サービス・プロバイダから提供される請求項９に記載の装置。
【請求項１１】
前記比較が好結果である場合、前記コンテンツが閲覧されることを許可し、前記比較が好結果ではない場合、前記コンテンツが閲覧されることを拒否するインプリメンタをさらに備える請求項７に記載の装置。
【請求項１２】
好結果の比較とは、前記コンテンツのレーティングが、前記しきい値以下であるか、あるいは、前記しきい値未満である請求項１１に記載の装置。
【請求項１３】
モバイル・デバイス上での遠隔コンテンツの閲覧を容易にする無線通信装置であって、
コンテンツのレーティングを、セキュア・ストレージに保持されたしきい値と比較する手段と、
前記コンテンツのレーティングと、前記保持されたしきい値との比較結果に基づいて、前記コンテンツが閲覧可能かどうかを定式化する手段と、
前記コンテンツをサービス・プロバイダから受信する手段と、
前記コンテンツを認証する手段と、
前記セキュア・ストレージをしきい値に関してプログラムするコマンド・セットを受信する手段と、
前記受信したコマンド・セットにしたがって前記セキュア・ストレージをプログラムする手段と
を備える無線通信装置。
【請求項１４】
前記しきい値を含む要求書を送信する手段をさらに備え、
前記プログラムするコマンド・セットは、前記要求書に含まれるしきい値に基づく請求項１３に記載の装置。
【請求項１５】
前記要求書を収集する手段をさらに備える請求項１４に記載の装置。
【請求項１６】
前記収集された要求書は、コンテンツ・サービス・プロバイダから提供される請求項１５に記載の装置。
【請求項１７】
前記比較が好結果である場合、前記コンテンツが閲覧されることを許可する手段、または、前記比較が好結果ではない場合、前記コンテンツが閲覧されることを拒否する手段をさらに備える請求項１３に記載の装置。
【請求項１８】
好結果の比較とは、前記コンテンツのレーティングが、前記しきい値以下であるか、あるいは、前記しきい値未満である請求項１７に記載の装置。
【請求項１９】
コンテンツのレーティングを、セキュア・ストレージに保持されたしきい値と比較するためのコードと、
前記コンテンツのレーティングと、前記保持されたしきい値との比較結果に基づいて、前記コンテンツが閲覧可能かどうかを定式化するためのコードと、
前記コンテンツをサービス・プロバイダから受信するためのコードと、
前記コンテンツを認証するためのコードと、
前記セキュア・ストレージをしきい値に関してプログラムするコマンド・セットを受信するためのコードと、
前記受信したコマンド・セットにしたがって前記セキュア・ストレージをプログラムするためのコードと、
を記録したコンピュータ読取可能な記録媒体。
【請求項２０】
前記しきい値を含む要求書を送信するためのコードをさらに記録しており、前記プログラムするコマンド・セットは、前記要求書に含まれるしきい値に基づく請求項１９に記載のコンピュータ読取可能な記録媒体。
【請求項２１】
前記要求書を収集するためのコードをさらに記録した請求項２０に記載のコンピュータ読取可能な記録媒体。
【請求項２２】
前記収集された要求書は、コンテンツ・サービス・プロバイダから提供される請求項２１に記載のコンピュータ読取可能な記録媒体。
【請求項２３】
前記比較が好結果である場合、前記コンテンツが閲覧されることを許可し、前記比較が好結果ではない場合、前記コンテンツが閲覧されることを拒否するためのコードをさらに記録した請求項１９に記載のコンピュータ読取可能な記録媒体。
【請求項２４】
好結果の比較とは、前記コンテンツのレーティングが、前記しきい値以下であるか、あるいは、前記しきい値未満である請求項２３に記載のコンピュータ読取可能な記録媒体。
【発明の詳細な説明】
【相互参照】
【０００１】
本願は、２００７年４月１３日に出願され"SERVICE PROVISIONING OF PARENTAL CONTROL IN MOBILE TV"と題された米国仮出願６０／９１１，５８３号の優先権を主張する。その全体は、本明細書に参照によって組み込まれる。
【技術分野】
【０００２】
以下の記述は、一般に無線通信に関し、さらに詳しくは、モバイル・デバイス上でのコンテンツ閲覧を規制するために、チップ・カードをプログラムすることに関する。
【背景技術】
【０００３】
無線通信システムは、例えば、音声、データ等のようなさまざまなタイプの通信を提供するために広く展開している。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。
【０００４】
通常、無線多元接続通信システムは、複数のモバイル・デバイスのための通信を同時にサポートすることができる。モバイル・デバイスはおのおのの、順方向リンクおよび逆方向リンクでの送信によって、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、あるいは複数入力複数出力（ＭＩＭＯ）システム等によって確立されうる。
【０００５】
ＭＩＭＯシステムは一般に複数（ＮＴ個の）送信アンテナを使用し、複数（ＮＲ個の）受信アンテナを使用する。ＮＴ個の送信アンテナおよびＮＲ個の受信アンテナによって形成されるＭＩＭＯチャネルは、ＮＳ個の独立チャネルへ分解されうる。ここで、ＮＳ≦｛ＮＴ，ＮＲ｝である。ＮＳ個の独立したチャネルのおのおのはディメンションに相当する。さらに、複数の送信アンテナおよび受信アンテナによってさらなるディメンションが生成される場合、ＭＩＭＯシステムは、改善されたパフォーマンス（例えば、高められたスペクトル効率、より高いスループット、および／または、より向上した信頼性）を提供することができる。
【０００６】
ＭＩＭＯシステムは、共通物理媒体によって順方向リンク通信および逆方向リンク通信を分割する様々な二重化技術をサポートする。例えば、周波数分割二重化（ＦＤＤ）システムは、順方向リンク通信および逆方向リンク通信のために異なる周波数領域を利用することができる。さらに、時分割二重化（ＴＤＤ）システムでは、順方向リンク通信と逆方向リンク通信とが、共通の周波数領域を利用することができる。しかしながら、従来の技術は、チャネル情報に関する制限されたフィードバックしか提供しないか、あるいは、フィードバックを提供しない。
【発明の概要】
【０００７】
以下は、１または複数の実施形態の基本的な理解を提供するために、そのような実施形態の簡略化された概要を示す。この概要は、考えられる全ての実施形態の広範な概観ではなく、全ての実施形態の重要要素や決定的要素を特定することでも、任意または全ての実施形態の範囲を線引きすることでもないことが意図される。その唯一の目的は、１または複数の実施形態の幾つかの概念を、後に示されるより詳細な説明の前置きとして簡単な形式で示すことである。
【０００８】
１または複数の実施形態および対応する開示によれば、さまざまな局面がモバイル・デバイス上でのコンテンツ閲覧を管理することに関連して記載される。局面によれば、方法は、モバイル・デバイス上でのコンテンツ閲覧を管理するための方法が開示される。この方法は、コンテンツのレーティングを、セキュア・ストレージに保持されたしきい値と比較することのみならず、このコンテンツが、コンテンツのレーティングと保持されたしきい値との比較結果に基づいて閲覧可能かどうかを定式化することを備える。
【０００９】
別の局面は、無線通信システムにおいて動作する装置に関する。この装置は、コンテンツのレーティングを、セキュア・ストレージに保持されたしきい値と比較し、このコンテンツが、コンテンツのレーティングと保持されたしきい値との比較結果に基づいて閲覧可能かどうかを定式化するように構成された少なくとも１つのプロセッサを備えうる。さらに、この装置は、少なくとも１つのプロセッサに接続されたメモリを備えうる。
【００１０】
さらなる局面では、本明細書では、モバイル・デバイス上で遠隔コンテンツを閲覧することを容易にする無線通信装置が開示される。この装置は、コンテンツのレーティングを、セキュア・ストレージに保持されたしきい値と比較する手段のみならず、このコンテンツが、コンテンツのレーティングと保持されたしきい値との比較結果に基づいて閲覧可能かどうかを定式化する手段を備える。
【００１１】
また他の局面は、コンピュータ読取可能媒体を備えるコンピュータ・プログラム製品に関する。コンピュータ読取可能媒体は、コンテンツのレーティングを、セキュア・ストレージに保持されたしきい値と比較するためのコードと、このコンテンツが、コンテンツのレーティングと保持されたしきい値との比較結果に基づいて閲覧可能かどうか定式化するためのコードとを備えうる。
【００１２】
局面によれば、本明細書では、セキュア・ストレージに、コンテンツ閲覧を規制するしきい値をプログラムすることを容易にする方法が開示される。この方法は、補助エンティティによって提供された通信からしきい値を読み取ることと、読み取られたしきい値を、セキュア・ストレージがインプリメントするためのコマンド・セットを生成することとを備える。生成されたコマンド・セットは、セキュア・ストレージにしきい値をプログラムするために使用される。
【００１３】
他の局面は、無線通信システムにおいて動作する装置に関する。この装置は、補助エンティティによって提供された通信からしきい値を読み取り、この読み取られたしきい値をセキュア・ストレージがインプリメントするためのコマンド・セットを、生成するように構成された少なくとも１つのプロセッサを備えうる。生成されたコマンド・セットは、セキュア・ストレージにしきい値をプログラムするために使用される。さらに、この装置は、少なくとも１つのプロセッサに接続されたメモリを備えうる。
【００１４】
さらなる局面では、本明細書では、コンテンツ閲覧を規制するしきい値をセキュア・ストレージにプログラムすることを容易にする無線通信装置が開示される。この装置は、補助エンティティによって提供された通信からしきい値を読み取る手段のみならず、この読み取られたしきい値をセキュア・ストレージがインプリメントするためのコマンド・セットを、生成する手段とを備えうる。生成されたコマンド・セットは、セキュア・ストレージにしきい値をプログラムするために使用される。
【００１５】
また別の局面は、コンピュータ読取可能媒体を備えるコンピュータ・プログラム製品に関する。この媒体は、補助エンティティによって提供された通信からしきい値を読み取るためのコードと、読み取られたしきい値を、セキュア・ストレージがインプリメントするためのコマンド・セットを生成するためのコードとを備えうる。生成されたコマンド・セットは、セキュア・ストレージにしきい値をプログラムするために使用される。
【００１６】
前述した目的および関連する目的を達成するために、１または複数の実施形態は、後に十分に記載され特に請求項において指摘される特徴を備えている。以下の記載および添付図面は、１または複数の実施形態のある例示的な局面を詳細に述べている。しかしながら、これらの局面は、様々な実施形態の原理が適用され、記載された実施形態がそのような全ての局面およびそれらの等価物を含むことが意図されている様々な方法のうちのほんの僅かを示すに過ぎない。
【図面の簡単な説明】
【００１７】
【図１】図１は、本明細書に記載された様々な局面にしたがった無線通信システムの実例である。
【図２】図２は、モバイル・デバイス上でコンテンツを閲覧することに関する情報を転送する通信システムの一例を例示する。
【図３】図３は、モバイル・デバイスにしきい値レーティングをプログラムすることと、および／または、モバイル・デバイス上でのコンテンツを規制することのためのモバイル・デバイスおよび申込マネジャ構成の一例を例示する。
【図４】図４は、モバイル・デバイスにしきい値レーティングをプログラムすることと、および／または、詳細なモバイル・デバイス上でコンテンツを規制することのための詳細なモバイル・デバイスおよび申込構成の一例を例示する。
【図５】図５は、モバイル・デバイス上でしきい値レーティングをプログラムすることと、および／または、モバイル・デバイス上でのコンテンツを規制することのためのモバイル・デバイスおよび詳細な申込マネジャ構成の一例を例示する。
【図６】図６は、モバイル・デバイス上でコンテンツを閲覧することに関する情報を転送するマルチ・ポイント通信システムの一例を例示する。
【図７】図７は、モバイル・デバイス上で閲覧可能なコンテンツを通信するための方法論の一例を例示する。
【図８】図８は、モバイル・デバイス上でのコンテンツ閲覧を規制する方法論の一例を例示する。
【図９】図９は、モバイル・デバイス上でのコンテンツ閲覧を規制する詳細な方法論の一例を例示する。
【図１０】図１０は、チップ・カードにしきい値レーティングをプログラムするコマンド・セットを生成する方法論の一例を例示する。
【図１１】図１１は、チップ・カードにしきい値レーティングをプログラムするコマンド・セットを生成する詳細な方法論の一例を例示する。
【図１２】図１２は、コンテンツ閲覧規制を容易にするモバイル・デバイスの一例を例示する。
【図１３】図１３は、しきい値レーティングを用いてチップ・カードをプログラムすることを容易にするシステムの一例を例示する。
【図１４】図１４は、本明細書に記載された様々なシステムおよび方法と共に適用されうる無線ネットワーク環境の実例である。
【図１５】図１５は、コンテンツがモバイル・デバイス上で閲覧されるべきかを判定することを容易にするシステムの一例を例示する。
【図１６】図１６は、チップ・カードにしきい値をプログラムするコマンド・セットを生成することを容易にするシステムの一例を例示する。
【発明を実施するための形態】
【００１８】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、暫定規格（ＩＳ）−２０００、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えばイボルブドＵＴＲＡ（Ｅｖｏｌｖｅｄ  ＵＴＲＡまたはＥ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ユニバーサル地上ラジオ・アクセス（ＵＴＲＡ）およびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。
【００１９】
さまざまな実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするために、ブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２１】
さらに、本明細書ではさまざまな実施形態が、モバイル・デバイスに関連して記載される。モバイル・デバイスは、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、モバイル・デバイスと通信するために利用され、アクセス・ポイント、ノードＢ、またはその他幾つかの専門用語でも称されうる。
【００２２】
さらに、本明細書に記載のさまざまな局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述されたさまざまな記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他さまざまな媒体を含みうる。
【００２３】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２４】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２５】
通信するように指定された領域および／またはアンテナのセットは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。
【００２６】
図１は、双方向通信を可能にする基地局を備えたセルラ・システムを示す。しかしながら、代替実施形態では、配信システムは、単一方向通信が存在する場合に使用されうる。ブロードキャスト送信機は、端末へデータを送信し、逆方向リンクでは何も受信しない。モバイル・デバイス１１６およびモバイル・デバイス１２２は、セルラ基地局１０２を経由してアップリンク情報を送信し、ネットワークは、配信のために、塔および／または送信機からメッセージを送る。例えば、モバイル・デバイス１１６およびモバイル・デバイス１２２への情報の一方向のプッシュを実行するブロードキャスト塔のようなブロードキャスト送信機を有するのみならず、基地局１０２がインタラクションすることを可能にしながら、ブロードキャスト送信機１２８に対して情報を送信させるようなハイブリッド・システムを使用することも可能である。
【００２７】
図２に示すように、モバイル・デバイス２０２上でのコンテンツ閲覧規制を容易にするシステム２００の例が開示される。親は、モバイル・デバイス２０２を取得し、子供がモバイル・デバイス２０２上で閲覧するコンテンツを規制したいと思っている。しかしながら、親はまた、子供に不適切な情報がブロックされるように、コンテンツが制限されることも望んでいる。親の要求に応じて、サービス要求書が、申込マネジャ２０４を経由してダウンロードされうるか、あるいは、サービス・プロバイダ２０６（例えば、ユーザに無料で映画を配信するホスト）から直接ダウンロードされうる。そのようなサービス・プロバイダは、エンド・ユーザとの申込ベースまたは購入ベースのビジネス関係を持ち、しばしば、「ブロードキャスト・サービス・プロバイダ」という文言で称される。親は、モバイル・デバイス２０２上のコンテンツを規制する際にどのようなレーティングしきい値を用いたいのか（例えば、暴力的要素の高いレーティングの映画をブロックし、暴力的要素の低いレーティングの映画を許可する等）のみならず、どのようなサービス（例えば、設定された数の映画、月決めの視聴等）を望むかを指定することによって、要求を完成することができる。表示のためのユーザ・インタフェースと、サービス要求書にユーザ・エントリを受け付けることは、一般に、端末実施特有であり、本発明の範囲外であることに注意されたい。
【００２８】
完成した要求書は、サービス・プロバイダ２０６へ（例えば、直接的に、または基地局を介する等によって）戻され、サービス・プロバイダ２０６は、コンテンツに関連するメタデータ（例えば、サービス・ガイド情報）のみならず、コンテンツを提供することができる。ここで、メタデータは、コンテンツのレーティング、批評スコア、実行時間等を含みうる。１つの実施形態によれば、コンテンツおよび／またはしきい値は、（例えば、一貫性チェックにしたがう短期キー・メッセージのような）安全な方法でモバイル・デバイス２０２へ送信されうる。一方、メタデータは、非安全な方法で中継される。申込マネジャ２０４はしきい値を分析し、モバイル・デバイス２０２のセキュア・ストレージ２０８（例えば、「スマート・カード」またはモバイル・デバイスのセキュア・メモリと称されるユニバーサル集積回路カードのようなチップ・カードであり、存在するまたは存在しないスマート・カードとは別の物理的なエンティティ）にしきい値をプログラムするための命令群を生成することができる。本明細書に示された局面は、チップ・カードをプログラムすることを述べているが、開示された局面をインプリメントする際に、セキュア・ストレージ２０８の別の形態も使用されうることが認識されるべきである。
【００２９】
安全な方法でコンテンツを保護するために、ネットワークは、申込マネジャ２０４と、秘密鍵を共有するセキュア・ストレージ２０８とを含みうる。ユーザが、コンテンツを申し込みたいと言うと、秘密鍵から申込鍵が生成される。申込鍵は、長期的な鍵として機能するサービス暗号鍵を暗号化するために使用される。その後、トラフィック暗号鍵を保護するために、サービス暗号鍵が使用されうる。トラフィック暗号鍵は、コンテンツを暗号化するために使用される。モバイル・デバイス２０２は、サービス暗号鍵を解読するために申込キーを使用することができる。その後、解読されたサービス暗号鍵は、トラフィック暗号鍵を解読するために使用されうる。したがって、モバイル・デバイス２０２は、コンテンツを解読する能力を持っている。
【００３０】
親のしきい値は、特別に定義された鍵管理メッセージのペイロードとして送られる。レーティングのしきい値との比較に基づいて、コンテンツが閲覧されるべきであるかの判定がなされ、この比較に応じて適切な動作がなされうる（例えば、コンテンツがユーザに開示される。コンテンツがブロックされる。しきい値を上回って指定されたプログラムの一部がフィルタ除外される等）。
【００３１】
従来、コンテンツ規制システムは、モバイル・デバイスのローカルな非セキュア・ストレージにしきい値をインプリメントする。ユーザは、モバイル・デバイスのローカル・ストレージに直接的にしきい値をプログラムする。そして、このしきい値は、コンテンツ閲覧を規制する際に使用される。主題とする開示は、従来の実施とは異なり、ローカル・ストレージではなく、セキュア・ストレージ２０８をプログラムし、セキュア・ストレージ２０８を間接的にプログラムする。セキュア・ストレージ２０８は、ローカル・ストレージよりも安全であると考えられうる。しかしながら、一般に、プログラムすることはより困難であると考えられており、リサーチ・サークルにおいて、チップ・カードを使用することを考えることは稀である。したがって、モバイル・デバイス２０２上でのコンテンツ閲覧を規制するために、セキュア・デバイス２０８を用いることに関し、従来技術ではほとんど開発がなされていない。当該技術における１つは、ローカル・ストレージがより便利である場合、しきい値をプログラムするためにチップ・カードを用いることは非論理的であることに気付くであろう。
【００３２】
図３に移って、モバイル・デバイス２０２上におけるコンテンツを、申込マネジャ２０４を用いて規制するシステム３００の例が開示される。ユーザは、サービス・プロバイダへ、コンテンツを求める要求を提供することができる。また、そのコンテンツの閲覧を規制するしきい値を提供することができる。提供される要求書は、モバイル・デバイス２０２から送信されうるが、例えば、モバイル・デバイス２０２を規制するデスクトップ・コンピュータから要求書を送信することのみならず、モバイル・デバイス２０２からカスタマ・サービス・エンティティへの呼出からアレンジすることのような他の構成もまた可能であることが認識されるべきである。
【００３３】
サービス・プロバイダは、無線通信によって、申込マネジャ２０４へしきい値を中継する。ここで、基地局は、リーダ３０２によって、この通信からしきい値を解釈する。サービス・プロバイダからの通信はしばしば暗号化され、リーダ３０２は、この通信から、しきい値を解読することができる。代替実施形態によれば、要求書は、サービス・プロバイダへの到着前に、基地局によって転送される。
【００３４】
識別されたしきい値に基づいて、このしきい値を用いて図２のセキュア・ストレージ２０８がプログラムされるようにするジェネレータ３０４によって、プログラミング・コマンド・セットが生成（例えば、生成、選択等）される。コマンド・セットの例は、モバイル・デバイス２０２にしきい値を通知する信号、チップ・カードをプログラムするコンピュータ・コード等を含みうる。他のモバイル・デバイス２０２は、別のチップ・カードを有することができ、ジェネレータ３０４は、別のチップ・カードのために特別な命令群を開発して良い。１つの実施形態によれば、ジェネレータ３０４は、コマンド・セットのデータベースを保持しうる。ここで、コマンド・セットは、しきい値および／または予測されたチップ・カード・タイプに基づいてジェネレータ３０４によって選択される。モバイル・デバイスは、短期的なキー・メッセージの一部として、短期的なキーによって暗号化された保護コンテンツと、コンテンツ・レーティングとを受信しうる。短期的なメッセージはまた、長期的なキーによって暗号化された短期的なキーをも含みうる。一方、関連するコンテンツ・レーティングは暗号化されない。暗号化されないものの、コンテンツ・レーティングは、一貫性チェック手順によって真性であることが保証されうる。
【００３５】
モバイル・デバイス２０２は、コンテンツのみならず、コンテンツのレーティングもまた受信する。コンパレータ３０６は、コンテンツのレーティングを、プログラムされたチップ・カードしきい値（例えば、ジェネレータ３０４によって生成されたコマンド・セットによってプログラムされたしきい値）と比較する。この比較に基づいて、フォーミュレータ３０８は、コンテンツがモバイル・デバイス２０２上で閲覧されるべきかを判定することができる。
【００３６】
例えば、システム３００は、利用可能なレーティングとして「子供」、「１０代」、「アダルト」が指定される３階層のレーティング体系を使用することができる。このコマンド・セットは、「子供」または「１０代」とレーティングされたコンテンツに対する閲覧者を制限するしきい値をインプリメントすることができる。一般に、この制限は、完成した要求書に関するサービス・プロバイダのコンテンツに当てはまるが、他の実施も可能でありうる。「アダルト」とレーティングされたコンテンツが受信された場合、コンパレータ３０６が、しきい値をレーティングと比較し、フォーミュレータ３０８は、このコンテンツが非常に高くレーティングされており、モバイル・デバイス２０２上で閲覧されないと判定することができる。一方、このコンテンツのレーティングが「子供」または「１０代」である場合、フォーミュレータ３０８は、モバイル・デバイス２０２が、このコンテンツの開示を許可すべきであると判定することができる。
【００３７】
図４に移って、申込マネジャ２０４と詳細なモバイル・デバイス２０２とを用いてコンテンツ閲覧を規制するシステム４００の例が開示される。１つの実施形態によれば、ユーザは、ジェネレータ３０４によって利用されるしきい値を設定する要求書をモバイル・デバイス２０２上で完成させる。コレクタ４０２は、ブロードキャスト・サービス・プロバイダから要求書を集める。ここで、要求書は、一般に、例えば価格、継続期間、パッケージ、許可されたコンテンツ・レーティング等のような複数のフィールドを含む。ユーザは一般に、モバイル・デバイス２０２のユーザ・インタフェースを介して、フィールドの少なくとも幾つかに情報を入力する。完成したフィールドの１つは、モバイル・デバイス２０２上で閲覧可能な許可されたコンテンツ・レーティングである。集められた要求書は、サービス・プロバイダのために提供されるが、他のサプライヤ（例えば、サード・パーティのホスト）も利用されうることが認識されるべきである。（例えば、部分的に完成した、完全に完成した等）完成した要求書は、送信機４０４によって伝送される。
【００３８】
サービス・プロバイダあるいはモバイル・デバイス２０２は、申込マネジャ２０４にしきい値を提供することができる、ここで、しきい値は、モバイル・デバイス２０２のチップ・カードにプログラムされることになっている。リーダ３０２は、補助エンティティ（例えば、サービス・プロバイダ、モバイル・デバイス２０２等）によって提供されたしきい値フォーム通信を解釈する。解釈されたしきい値に基づいて、ジェネレータ３０４は、チップ・カードが読取しきい値をインプリメントするコマンド・セットを生成することができる。生成されたコマンド・セットは、チップ・カードにしきい値をプログラムするために使用される（例えば、チップ・カードは、モバイル・デバイス２０２に存在しうる）。
【００３９】
モバイル・デバイス２０２は、（例えば、ジェネレータ３０４から提供された）しきい値に関してチップ・カードをプログラムするためのコマンド・セットを保持する受信機４０６を含みうる。プログラマ４０８は、受信したコマンド・セットにしたがってチップ・カードが符号化されるようにコマンド・セットをインプリメントすることができる。コマンド・セットをインプリメントすることによって、新たなしきい値を生成するのみならず、既存のしきい値を上書きする（例えば、しきい値を「１０代」から「子供」に変更することができる。１つの実施形態によれば、受信したしきい値は、グローバル・デフォルトであると考えられ、特定のコンテンツのために他のレーティングが提供されていないのであれば、受信したしきい値（例えば、時間において最初に受信されたしきい値、時間において最後に受信されたしきい値、最も一般性のあるしきい値等）は、グローバルに使用される。
【００４０】
コンテンツが受信機４０６によって受信され、コンパレータ３０６は、コンテンツのレーティングを、チップ・カードに保持されたしきい値と比較する。フォーミュレータ３０８は、コンテンツ・レーティングと、保持されたしきい値との比較結果に基づいて、このコンテンツが閲覧されうるかを判定しうる。インプリメンタ４１０は、この結果に基づいて動作することができる。例えば、インプリメンタ４１０は、比較が好結果である場合は、コンテンツが閲覧されることを許可し、比較が好結果ではない場合には、コンテンツが閲覧されることを拒否する。比較が好結果であるか（例えば、コンテンツが、閲覧のために許容可能なレーティングであるか）を判定するために、他の規格も使用されうる。好結果の比較は、コンテンツ・レーティングがしきい値以下である場合でありうるが、また、コンテンツ・レーティングがしきい値未満である場合でも良い。さらに、例えば、閲覧されるコンテンツの一部を許可するような他の構成も実施されうる（例えば、「１０代」とレーティングされた映画のほとんどが再生されうるが、「アダルト」とレーティングされた暴力的なシーンはブロックされ、この「アダルト」シーンは削除され、残りのシーンがともにストリームラインされる）。
【００４１】
図５に移って、詳細な申込マネジャ２０４とモバイル・デバイス２０２とを用いてコンテンツ閲覧を規制するシステム５００の一例が開示される。補助エンティティは、モバイル・デバイス２０２上でのコンテンツ閲覧を規制する際に使用されるしきい値を含む通信を送信しうる。取得部５０２は、この通信を収集し、補助エンティティおよび／またはモバイル・デバイス２０２へと確認メッセージを送る。
【００４２】
システム５００は、マルチ・ポイント環境において実施することが可能である。この環境では、複数のサービス・プロバイダ、モバイル・デバイス、申込マネジャ、および／または、基地局が存在する。したがって、申込マネジャ２０４は、比較的大量のトラフィックを取り扱うように構成されており、これによって、申込マネジャ２０４は、複数のサービス・プロバイダおよび／またはモバイル・デバイスに関する複数の通信を管理することができる。判定部５０４は、プログラムされたチップ・カードを有するべきであるモバイル・デバイス２０２を結論することができる。例えば、モバイル・デバイス２０２にコンテンツをストリームして欲しいとの複数の要求を受けることができる。ここで、これら要求は、異なるしきい値を持つ。判定部５０４は、特定のしきい値を用いて、プログラムされるべきモバイル・デバイス２０２を識別する。
【００４３】
プログラムされたチップ・カードを有するべきパーティを識別することに加えて、リーダ３０２は、補助エンティティによって提供された通信からしきい値を解釈しうる。この解釈を用いて、ジェネレータ３０４は、チップ・セットが読取しきい値をインプリメントするためのコマンド・セットを生成しうる。生成されたコマンド・セットは、このしきい値をチップ・カードにプログラムするために使用される。特に、ジェネレータ３０４は、判定部５０４の出力から確認される特定のモバイル・デバイスのためのコマンド・セットを調整することができる。このコマンド・セットは、このコマンド・セットを、判定されたモバイル・デバイス２０２へ送信するセンダ５０６によって、短期的な鍵へ統合されうる。
【００４４】
コマンド・セットは、モバイル・デバイス２０２によって収集され抽出される。ここでは、コマンド・セットは、モバイル・デバイス２０２のチップ・カードをプログラムするために使用されうる。特定のレーティングを持つコンテンツが、モバイル・デバイス２０２によって収集されうる。ここでは、コンパレータ３０６が、コンテンツのレーティングを、チップ・カードに保持されたしきい値と比較する。コンテンツ・レーティングと保持されたしきい値との比較結果は、コンテンツがこの比較結果に基づいて閲覧されうるかを判定するフォーミュレータ３０８へ移動する。
【００４５】
図６に移って示すように、サービス提供および／または申込管理機能を含むサービス・ネットワーク６０２に加えて、複数のモバイル・デバイス２０２および基地局２０４を備えたシステム６００の例が開示される。主題とする開示の局面は、単一モジュール間の通信を説明しているが、これら局面は、マルチ・ポイント環境においても実現されうることが認識されるべきである。多くのモバイル・デバイス２０２は、完成した要求書を、サービス・ネットワーク６０２の一部であるサービス・プロバイダへ送信することができる。送信の一部として、モバイル・デバイス２０２は、例えばユニークなインターネット・プロトコル・アドレスのような、モバイル・デバイスに関連する識別情報を含みうる。
【００４６】
サービス・プロバイダは、この完成した要求書を処理して、適切なコンテンツ、しきい値、識別情報等を、サービス・ネットワーク６０２の一部である申込マネジャへ提供する。しきい値、コンテンツ、コンテンツ・メタデータ等は、複数の基地局２０４によって他のモバイル・デバイス２０２へと中継されうる。コマンド・セット、コンテンツ等は、モバイル・デバイス２０２へ移動し、そこでインプリメントされる。代替実施形態では、システム６００は、一方向のユニットを用いてインプリメントする。ここでは、塔が、モバイル・デバイス２０２からサービス・ネットワーク６０２へと情報を送信し、サービス・ネットワーク６０２からモバイル・デバイス２０２へデータを送信するために個別の塔が使用される。
【００４７】
図７乃至１１に示すように、モバイル・デバイスにおけるコンテンツ規制に関する方法論が例示される。説明の単純化の目的のために、これら方法論は一連の動作として図示され説明されるが、幾つかの動作は、１または複数の実施形態にしたがって、本明細書に図示および説明されたものとは異なる順序で、および／または、他の動作と同時に引き起こりうるので、これら方法論は、このような動作順によって限定されないことが理解および認識されるべきである。例えば、当業者であれば、これら方法論は、その代わりに、例えば状態図のような相互関連する一連の状態またはイベントとして示されうることを理解および認識するだろう。さらに、１または複数の実施形態にしたがって方法論を実現するために、必ずしも全ての動作が必要とされる訳ではない。
【００４８】
図７に移って、通常は、チップ・カードを利用することによって、モバイル・デバイスにおけるコンテンツの規制のための方法論７００が開示される。ユーザは、ブロック７０２において、サービス要求書を完成させる。ここでは、要求書の完成とは、意図されたコンテンツ・レーティングしきい値を開示することを含む。さらに、コンテンツ（例えば、映画、ライブ・スポーツ、リアル・タイム株価情報等）の提供に対してサービス・プロバイダが補償されるように、要求書によって与えられたクレジット・カード口座番号を用いることによって、金融トランザクションがなされうる。予測されたしきい値レーティングを含む要求書は、イベント７０４において、サービス・プロバイダへ送信されうる。例えば、銀行口座番号のような金融情報が送信されうるので、情報を安全にするために、さまざまな保護機能が実施されうる。
【００４９】
サービス・プロバイダは、この送信された要求書を受信して、例えば、口座を確認し、しきい値が要求書／しきい値で提供されているかを判定するような、コンテンツの提供と整合の取れた動作を実行する。ブロック７０６では、サービス・プロバイダが、申込マネジャへしきい値を送信する。そして、申込マネジャは、モバイル・デバイスへとコマンド・セット（例えば、しきい値）を送信する。送信されたコマンド・セットは、イベント７０８において、セキュア・ストレージにしきい値を保持するために使用されうる。
【００５０】
図８に移って、一般にモバイル・デバイス上で実現されるコンテンツ閲覧を規制する方法論８００の例が開示される。閲覧されるべきコンテンツは、イベント８０２において、設定されたしきい値と比較されるレーティングを含む。このしきい値は、モバイル・デバイスに存在するチップ・カード上に保持されうる。この比較の結果に基づいて、イベント８０４において、コンテンツが、閲覧可能であると定義されているのかについての定式化がなされうる。
【００５１】
１つの実施形態によれば、コンテンツが閲覧可能であるかを判定するために、複雑なレーティングおよびしきい値が使用されうる。例えば、多くの要因と連携した多層レーティング体系が使用されうる。多層レーティング体系は、「子供」、「１０代」、「アダルト」を含み、これら異なる要因は、暴力、言語、セックス等を含みうる。しきい値は、例えば暴力が「１０代」に設定され、言語が「アダルト」に設定されているように、異なる要因について、異なるレーティングで設定することができる。適切な比較（例えば、コンテンツ暴力レーティングと暴力のしきい値との比較）がなされ、この比較に基づいて定式化が判定される。
【００５２】
図９に移って、一般にモバイル・デバイス上で実現されるコンテンツ閲覧を規制する方法論９００の一例が開示される。動作９０２では、しきい値の取得を容易にするサービス・プロバイダから、要求書が収集されうる。１つの実施形態によれば、ユーザが、要求書を求める要求をサービス・プロバイダに対して行い、ユーザは、コンテンツを申し込むことができる。サービス・プロバイダは、この要求を処理し、正式な要求書を転送する。そして、転送された要求書が収集される。
【００５３】
ユーザは、（例えば、しきい値情報を追加して）この要求書を完成させる。この要求書は、動作９０４において、サービス・プロバイダへ送信されうる。完成した要求書が、機密情報（例えば、クレジット・カード番号）を含んでいるかが判定され、この判定が肯定的であれば、これら機密情報および／または要求書全体が暗号化されうる。要求書の送信は、サービス・プロバイダへ直接的になされるか、基地局によって中継されるか等によってなされうる。動作９０２および／または動作９０４は、モバイル・デバイス、パーソナル・コンピュータ等を使用することによって完了する。
【００５４】
動作９０６では、チップ・カードをプログラムするために使用されうるコマンド・セットが受信されうる。チップ・カードは、イベント９０８において、受信したコマンド・セットにしたがって、しきい値を用いてプログラムされうる。コマンド・セットは、プログラムを開始するコンピュータ・コード、しきい値を用いてチップ・カードがプログラムされるべきであるとの通知等でありうる。
【００５５】
その後、動作９１０においてコンテンツ受信される。このコンテンツは一般に、レーティングを含む。イベント９１２では、しきい値と、コンテンツのレーティングとの比較がなされうる。チェック９１４は、コンテンツが閲覧されうるかが判定されうる。チェック９１４は、コンテンツ・レーティングと、保持されたしきい値との比較結果に基づいてコンテンツが閲覧されるべきかを定式化するものとして機能しうる。比較が好結果であると考えられる場合、イベント９１６において、コンテンツを閲覧することが許可され、比較が好結果ではないと考えられる場合、動作９１８において、コンテンツを閲覧することが拒否されうる。好結果の比較は、コンテンツ・レーティングが、しきい値以下であることであり、コンテンツ・レーティングが、しきい値未満であること等でもよい。
【００５６】
図１０に移って、チップ・カード上にコンテンツ閲覧を規制するしきい値をプログラムするコマンド・セットを生成する方法論１０００の例が開示される。しきい値を含む通信が、補助エンティティから、しばしばコンテンツ・サービス・プロバイダから送信される。動作１００２では、この通信からしきい値が読み取られうる。しきい値を読み取ることは、しきい値を復号することや、しきい値を保持する情報を解凍すること等を含みうる。
【００５７】
読み取られたしきい値に基づいて、イベント１００４では、このしきい値を用いてチップ・カードをプログラムするコマンド・セットが生成されうる。このコマンド・セットは、チップ・カード上の既存のしきい値に上書きするのみならず、新たなしきい値をプログラムすることもできる。１つの実施形態によれば、チップ・カードの特定の特性が確認され、これら確認された特性に基づいて、コマンド・セットが生成されうる。
【００５８】
図１１に移って、チップ・カードにコンテンツ閲覧を規制するためのしきい値をプログラムするコマンド・セットを生成する詳細な方法論１１００の例が開示される。通常はサービス・プロバイダから、あるいは、チップ・カードを保持するモバイル・デバイスから通信が取得されうるが、動作１１０２では、補助エンティティから通信が取得されうる。通信取得に関して、例えば、通信誤りのための検査、この通信が信頼できる／正しいソースからのものであるかの判定等のようなさまざまなセキュリティ機能が実施される。
【００５９】
動作１１０４では、どのモバイル・デバイスが、チップ・カードにプログラムされた取得されたしきい値を持つべきかに関する判定がなされる。比較的多くの通信が取得される。これら通信は、他のモバイル・デバイスについての他のしきい値を含む。したがって、この判定は、しきい値および／または適切なコマンド・セットが、正しいモバイル・デバイスへ移動することを保証するのに役立つ。
【００６０】
動作１１０６において、通信からしきい値が読み取られる。イベント１１０８では、読み取られたしきい値に基づいて、このしきい値を用いてチップ・カードをプログラムするコマンド・セットが生成されうる。動作１１１０では、コマンド・セットは、判定されたモバイル・デバイスへ移る。１つの実施形態によれば、例えば、チップ・カードをプログラムすることが正しい場合に情報を収集することや、カード・チップがプログラムされる方法等のようなフィードバックが収集されうる。
【００６１】
本明細書に記載の１または複数の局面によれば、準接続モードが適用されるか否かに関する推論がなされ、ウェイクアップ期間パラメータ等が決定されることが認識されよう。本明細書で使用されるように、「推論する」または「推論」なる用語は一般に、イベントおよび／またはデータによって取得されたような観察のセットから、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００６２】
図１２は、チップ・カードに保持されたしきい値によってコンテンツを規制することができるモバイル・デバイス１２００を例示する。モバイル・デバイス１２００は、例えば（図示しない）受信アンテナから信号を受信し、受信した信号について一般的な動作（例えば、フィルタ、増幅、ダウンコンバート等）を実行し、この調整された信号をデジタル化してサンプルを得る受信機１２０２を備える。受信機１２０２は、例えば、ＭＭＳＥ受信機であり、受信したシンボルを復調し、それらを、チャネル推定のためにプロセッサ１２０６へ提供する復調器１２０４を備えうる。プロセッサ１２０６は、受信機１２０２によって受信された情報を分析すること、および／または、送信機１２１６による送信のための情報を生成することに特化されたプロセッサであるか、モバイル・デバイス１２００の１または複数の構成要素を制御するプロセッサであるか、および／または、受信機１２０２によって受信された情報の分析と、送信機１２１６による送信のための情報の生成と、モバイル・デバイス１２００の１または複数の構成要素の制御との両方を行うプロセッサでありうる。
【００６３】
モバイル・デバイス１２００はさらに、プロセッサ１２０６に動作可能に接続されたメモリ１２０８を備えることができる。このメモリは、送信されるべきデータ、受信したデータ、利用可能なチャネルに関連する情報、分析された信号および／または干渉強度に関連するデータ、割り当てられたチャネル、電力、レート等に関連する情報、チャネルを推定してこのチャネルを介して通信するのに適したその他任意の情報を格納することができる。メモリ１２０８はさらに、（例えば、パフォーマンス・ベース、キャパシティ・ベース等で）チャネルの推定および／または利用に関連するアルゴリズムおよび／またはプロトコルを格納しうる。
【００６４】
本明細書に記載のデータ・ストア（例えば、メモリ１２０８）は、揮発性メモリであるか、あるいは不揮発性メモリである。あるいは、揮発性メモリと不揮発性メモリとの両方を含みうることが認識されよう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。対象とするシステムおよび方法のメモリ１２０８は、限定される訳ではないが、これらおよびその他任意の適切なタイプのメモリを備えることが意図される。
【００６５】
プロセッサ１２０６はさらに、コンパレータに動作可能に接続されている。コンパレータは、プログラムされたしきい値レーティングを、モバイル・デバイス１２００上で閲覧されるべきコンテンツに関連するレーティングと対比させる。さらに、モバイル・デバイス１２００は、この比較結果に基づいて、コンテンツが閲覧されうるかを判定するフォーミュレータ１２１２を含みうる。モバイル・デバイス１２００はさらに、変調器１２１４と、例えば基地局、他のモバイル・デバイス等へ信号（例えば、ベースＣＱＩおよび差分ＣＱＩ）を送信する送信機１２１６を備えうる。プロセッサ１２０６と分離して示されているが、準接続されたコンパレータ１２１０および／または変調器１２１４は、プロセッサ１２０６または（図示しない）多くのプロセッサの一部でありうることが認識されるべきである。さらに、モバイル・デバイス１２００は、取得された許容可能なコンテンツを提示するメディア・プレーヤ１２１８を含みうる。
【００６６】
図１３は、モバイル・デバイス上のチップ・カードをプログラムすることを容易にするシステム１３００の例示である。システム１３００は、複数の受信アンテナ１３０６を通じて１または複数のモバイル・デバイス１３０４から信号を受信する受信機１３１０と、複数の送信アンテナ１３０８を通じて１または複数のモバイル・デバイス１３０４へ信号を送信する送信機１３２４とを備えた申込マネジャ１３０２（例えば、アクセス・ポイント等）を備える受信機１３１０は、受信アンテナ１３０６から情報を受信し、受信した情報を復調する復調器１３１２に動作可能に関連付けられている。復調されたシンボルは、図１２に関連して上述されたプロセッサと類似し、メモリ１３１６に接続されているプロセッサ１３１４によって分析される。このメモリは、信号（例えば、パイロット）強度および／または干渉強度の推定に関する情報、モバイル・デバイス１３０４（あるいは（図示しない）別の基地局）へ送信されるか、あるいはモバイル・デバイス１３０４（あるいは（図示しない）別の基地局）から受信されたデータ、および／または、本明細書に記載のさまざまな動作および機能を実行することに関連するその他任意の適切な情報を格納する。
【００６７】
プロセッサ１３１４はさらに、モバイル・デバイスのチップ・カード上にインプリメントされるべきしきい値レーティングを識別するリーダ１３１８に接続している。識別されたレーティングに基づいて、ジェネレータ１３２０は、コマンド・セット情報を生成し、モバイル・デバイスに対して、このしきい値にしたがってチップ・カードをどのようにプログラムするかを指示する。変調器１３２２は、送信機１３２４によってアンテナ１３０８を通じてモバイル・デバイス１３０４へ送信される情報を多重化する。プロセッサ１３１４とは別に示されているが、受信機１３１０、リーダ１３１８、ジェネレータ１３２０、および／または、変調器１３２２は、プロセッサ１３１４または多くのプロセッサ（図示せず）の一部でありうることが認識されるべきである。
【００６８】
図１４は、無線通信システム１４００の一例を示す。無線通信システム１４００は、簡潔さの目的で、１つの基地局１４１０および１つのモバイル・デバイス１４５０を示す。しかしながら、システム１４００は、１より多い基地局、および／または、１より多いモバイル・デバイス末を含むことができ、これら追加の基地局および／またはモバイル・デバイスは、以下に説明する基地局１４１０およびモバイル・デバイス１４５０の例と実質的と同じものでも、別のものでもありうることが認識されるべきである。さらに、基地局１４１０および／またはモバイル・デバイス１４５０は、その間の無線通信を容易にするために、本明細書に記述されたシステム（図１乃至図６、図１２乃至図１３）および／または方法（図７乃至図１１）を適用しうることが認識されるべきである。
【００６９】
基地局１４１０では、多くのデータ・ストリームのためのトラフィック・データが、データ・ソース１４１２から送信（ＴＸ）データ・プロセッサ１４１４へ提供される。一例によれば、おのおののデータ・ストリームは、それぞれのアンテナを介して送信される。ＴＸデータ・プロセッサ１４１４は、トラフィック・データ・ストリームをフォーマットし、そのデータ・ストリームのために選択された特定の符合化スキームに基づいて符号化し、インタリーブして、符合化されたデータを提供する。
【００７０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末１４５０において使用されうる。おのおののデータ・ストリームに関する多重化されたパイロットおよび符合化されたデータは、そのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１４３０によって実行または提供される命令によって決定されうる。
【００７１】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１４２０はその後、ＮＴ個の変調シンボル・ストリームを、ＮＴ個の送信機（ＴＭＴＲ）１４２２ａ乃至１４２２ｔへ提供する。さまざまな実施形態において、ＴＸ  ＭＩＭＯプロセッサ１４２０は、データ・ストリームのシンボル、および、そのシンボルが送信されるアンテナへ、ビームフォーミング重みを適用する。
【００７２】
おのおのの送信機１４２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１４２２ａ乃至１４２２ｔからのＮＴ個の変調信号が、ＮＴ個のアンテナ１４２４ａ乃至１４２４ｔそれぞれから送信される。
【００７３】
アクセス端末１４５０では、送信された変調信号がＮＲ個のアンテナ１４５２ａ乃至１４５２ｒによって受信され、おのおののアンテナ１４５２からの受信信号が、それぞれの受信機（ＲＣＶＲ）１４５４ａ乃至１４５４ｒへ提供される。おのおのの受信機１４５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７４】
ＲＸデータ・プロセッサ１４６０は、ＮＲ個の受信機１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１４６０は、検出されたおのおののシンボル・ストリームを復調し、デインタリーブし、復号して、そのデータ・ストリームのためのトラフィック・データを復元する。ＲＸデータ・プロセッサ１４６０による処理は、基地局１４１０におけるＴＸ  ＭＩＭＯプロセッサ１４２０およびＴＸデータ・プロセッサ１４１４によって実行されるものと相補的である。
【００７５】
プロセッサ１４７０は、上述したように、どの事前符合化行列を使用するのかを定期的に決定する。さらに、プロセッサ１４７０は、行列インデクス部およびランク値部とを備えた逆方向リンク・メッセージを規定することができる。
【００７６】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１４３６から受信するＴＸデータ・プロセッサ１４３８によって処理され、変調器１４８０によって変調され、送信機１４５４ａ乃至１４５４ｒによって調整され、基地局１４１０へ送り戻される。
【００７７】
基地局１４１０では、モバイル・デバイス１４５０からの変調信号が、アンテナ１４２４によって受信され、受信機１４２２によって調整され、復調器１４４０によって復調され、ＲＸデータ・プロセッサ１４４２によって処理されて、モバイル・デバイス１４５０によって送信された逆方向リンク・メッセージを抽出する。さらに、プロセッサ１４３０は、ビームフォーミング重みを決定するためにどの事前符合化行列を使用するかを決定するために、この抽出されたメッセージを処理する。
【００７８】
プロセッサ１４３０およびプロセッサ１４７０は、基地局１４１０およびアクセス端末１４５０それぞれにおける動作を指示（例えば、制御、調整、管理等）する。プロセッサ１４３０およびプロセッサ１４７０はそれぞれ、プログラム・コードおよびデータを格納するメモリ１４３２およびメモリ１４７２に関連付けられうる。プロセッサ１４３０およびプロセッサ１４７０はまた、アップリンクおよびダウンリンクそれぞれのための周波数およびインパルス応答推定値を導出する計算をも実行する。
【００７９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００８０】
これら実施形態が、ソフトウェア、ファームウェア、ミドルウェアあるいはマイクロコード、プログラム・コードあるいはコード・セグメントで実現される場合、これらは、例えばメモリ素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００８１】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８２】
図１５に示すように、レーティング比較にしたがって、モバイル・デバイス上でのコンテンツ閲覧を規制するシステム１５００が例示される。例えば、システム１５００は、モバイル・デバイス内に少なくとも部分的に存在することができる。システム１５００は、プロセッサ、ソフトウェア、またはそれらの組み合わせ（例えば、ファームウェア）によって実現される機能を表す機能ブロックでありうる機能ブロックを含むものとして示されることが認識されるべきである。システム１５００は、連携して動作することができる電子構成要素の論理グループ１５０２を含む。
【００８３】
例えば、論理グループは、コンテンツ・レーティングを、セキュア・ストレージに保持されたしきい値と比較する電子構成要素１５０４を含みうる。さらに、論理グループ１５０２は、コンテンツ・レーティングと、保持されたしきい値との比較結果に基づいて、コンテンツが閲覧されうるかを定式化する電子構成要素１５０６を備える。さらに、システム１５００は、電子構成要素１５０４、１５０６に関連する機能を実行するための命令群を保持するメモリ１５０８を含みうる。メモリ１５０８の外側にあると示されているが、電子構成要素１５０４、１５０６の１または複数は、メモリ１５０８内に存在しうることが理解されるべきである。電子構成要素１５０４および／または電子構成要素１５０６はもともと、サービス・プロバイダからコンテンツを受信するための電子構成要素と、セキュア・ストレージをしきい値に関してプログラムするコマンド・セットを受信するための電子構成要素と、受信したコマンド・セットにしたがってセキュア・ストレージをプログラムするための電子構成要素と、しきい値を含む要求書を送信するための電子構成要素と、要求書を収集するための電子構成要素と、比較が好結果である場合、コンテンツの閲覧を許可するための電子構成要素と、比較が好結果ではない場合、コンテンツの閲覧を拒否するための電子構成要素と、あるいは、これらの組み合わせを含みうる。しかしながら、例えば、独立して実施することができるもともとある構成要素のうちの少なくとも１つのように、その他の構成も実現されうることが認識されるべきである。
【００８４】
図１６に関し、モバイル・デバイス上で閲覧されるコンテンツを規制するためにセキュア・ストレージのプログラムを容易にするシステム１６００が例示される。例えば、システム１６００は、モバイル・デバイス内に少なくとも部分的に存在することができる。システム１６００は、プロセッサ、ソフトウェア、またはそれらの組み合わせ（例えば、ファームウェア）によって実現される機能を表す機能ブロックでありうる機能ブロックを含むものとして示されることが認識されるべきである。システム１６００は、連携して動作することができる電子構成要素の論理グループ１６０２を含む。例えば、論理グループ１６０２は、補助エンティティによって提供された通信から、しきい値を読み取るための電子構成要素１６０４を含みうる。さらに、論理グループ１６０２は、セキュア・ストレージが、読み取られたしきい値をインプリメントするためのコマンド・セットを生成するための電子構成要素１６０６を備えうる。この生成されたコマンド・セットは、一般に、セキュア・ストレージにしきい値をプログラムするために使用される。さらに、システム１６００は、電子構成要素１６０４、１６０６に関連する機能を実行するための命令群を保持するメモリ１６０８を含みうる。メモリ１６０８の外側に示されているが、電子構成要素１６０４、１６０６のうちの１または複数は、メモリ１６０８の内部に存在することができることが理解されるべきである。電子構成要素１６０４および／または電子構成要素１６０６はもともと、補助エンティティから通信を取得するための電子構成要素と、プログラムされたセキュア・ストレージを有するモバイル・デバイスを決定するための電子構成要素と、決定されたモバイル・デバイスへとコマンド・セットを送信するための電子構成要素と、または、これらの組み合わせを含みうる。しかしながら、例えば、独立して実施することができるもともとある構成要素のうちの少なくとも１つのように、その他の構成も実現されうることが認識されるべきである。
【００８５】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
以下に、出願時の特許請求の範囲に記載された発明を付記する。
［発明１］
モバイル・デバイス上でのコンテンツ閲覧を管理するための方法であって、
コンテンツのレーティングを、セキュア・ストレージに保持されたしきい値と比較することと、
前記コンテンツのレーティングと、前記保持されたしきい値との比較結果に基づいて、前記コンテンツが閲覧可能かどうかを定式化することと
を備える方法。
［発明２］
前記コンテンツをサービス・プロバイダから受信することをさらに備える発明１に記載の方法。
［発明３］
前記コンテンツを認証することをさらに備える発明２に記載の方法。
［発明４］
前記セキュア・ストレージをしきい値に関してプログラムするコマンド・セットを受信することをさらに備える発明１に記載の方法。
［発明５］
前記受信したコマンド・セットにしたがって前記セキュア・ストレージをプログラムすることをさらに備える発明４に記載の方法。
［発明６］
前記しきい値を含む要求書を送信することをさらに備え、
前記プログラムするコマンド・セットは、前記要求書に含まれるしきい値に基づく発明５に記載の方法。
［発明７］
前記要求書を収集することをさらに備える発明６に記載の方法。
［発明８］
前記収集された要求書は、コンテンツ・サービス・プロバイダから提供される発明７に記載の方法。
［発明９］
前記コンテンツが閲覧可能かを定式化することであって、前記比較が好結果である場合、前記コンテンツが閲覧されることを許可し、前記比較が好結果ではない場合、前記コンテンツが閲覧されることを拒否することをさらに備える発明１に記載の方法。
［発明１０］
好結果の比較とは、前記コンテンツのレーティングが、前記しきい値以下であるか、あるいは、前記しきい値未満である発明９に記載の方法。
［発明１１］
無線通信システムにおいて動作する装置であって、
コンテンツのレーティングを、セキュア・ストレージに保持されたしきい値と比較し、前記コンテンツのレーティングと、前記保持されたしきい値との比較結果に基づいて、前記コンテンツが閲覧可能かどうかを定式化するように構成された少なくとも１つのプロセッサと、
前記少なくとも１つのプロセッサに接続されたメモリと
を備える装置。
［発明１２］
前記コンテンツをサービス・プロバイダから受信することをさらに備える発明１１に記載の装置。
［発明１３］
前記コンテンツを認証することをさらに備える発明１２に記載の装置。
［発明１４］
前記セキュア・ストレージを前記しきい値に関してプログラムするコマンド・セットを取得する受信機をさらに備える発明１１に記載の装置。
［発明１５］
前記受信したコマンド・セットにしたがって、前記セキュア・ストレージを符号化するプログラマをさらに備える発明１４に記載の装置。
［発明１６］
前記しきい値を含む要求書を送信する送信機をさらに備え、
前記プログラムするコマンド・セットは、前記要求書に含まれるしきい値に基づく発明１５に記載の装置。
［発明１７］
前記要求書を収集するコレクタをさらに備える発明１６に記載の装置。
［発明１８］
前記収集された要求書は、コンテンツ・サービス・プロバイダから提供される発明１７に記載の装置。
［発明１９］
前記比較が好結果である場合、前記コンテンツが閲覧されることを許可し、前記比較が好結果ではない場合、前記コンテンツが閲覧されることを拒否するインプリメンタをさらに備える発明１１に記載の装置。
［発明２０］
好結果の比較とは、前記コンテンツのレーティングが、前記しきい値以下であるか、あるいは、前記しきい値未満である発明１９に記載の装置。
［発明２１］
モバイル・デバイス上での遠隔コンテンツの閲覧を容易にする無線通信装置であって、
コンテンツのレーティングを、セキュア・ストレージに保持されたしきい値と比較する手段と、
前記コンテンツのレーティングと、前記保持されたしきい値との比較結果に基づいて、前記コンテンツが閲覧可能かどうかを定式化する手段と
を備える無線通信装置。
［発明２２］
前記コンテンツをサービス・プロバイダから受信する手段をさらに備える発明２１に記載の装置。
［発明２３］
前記コンテンツを認証することをさらに備える発明２２に記載の装置。
［発明２４］
前記セキュア・ストレージをしきい値に関してプログラムするコマンド・セットを受信する手段をさらに備える発明２１に記載の装置。
［発明２５］
前記受信したコマンド・セットにしたがって前記セキュア・ストレージをプログラムする手段をさらに備える発明２４に記載の装置。
［発明２６］
前記しきい値を含む要求書を送信する手段をさらに備え、
前記プログラムするコマンド・セットは、前記要求書に含まれるしきい値に基づく発明２５に記載の装置。
［発明２７］
前記要求書を収集する手段をさらに備える発明２６に記載の装置。
［発明２８］
前記収集された要求書は、コンテンツ・サービス・プロバイダから提供される発明２７に記載の装置。
［発明２９］
前記比較が好結果である場合、前記コンテンツが閲覧されることを許可する手段、または、前記比較が好結果ではない場合、前記コンテンツが閲覧されることを拒否する手段
をさらに備える発明２１に記載の装置。
［発明３０］
好結果の比較とは、前記コンテンツのレーティングが、前記しきい値以下であるか、あるいは、前記しきい値未満である発明２９に記載の装置。
［発明３１］
コンピュータ・プログラム製品であって、
コンテンツのレーティングを、セキュア・ストレージに保持されたしきい値と比較するためのコードと、
前記コンテンツのレーティングと、前記保持されたしきい値との比較結果に基づいて、前記コンテンツが閲覧可能かどうかを定式化するためのコードと、
を備えるコンピュータ読取可能媒体を備えるコンピュータ・プログラム製品。
［発明３２］
前記コンピュータ読取可能媒体はさらに、前記コンテンツをサービス・プロバイダから受信するためのコードを備える発明３１に記載のコンピュータ・プログラム製品。
［発明３３］
前記コンピュータ読取可能媒体はさらに、前記コンテンツを認証するためのコードを備える発明３２に記載のコンピュータ・プログラム製品。
［発明３４］
前記コンピュータ読取可能媒体はさらに、前記セキュア・ストレージをしきい値に関してプログラムするコマンド・セットを受信するためのコードを備える発明３１に記載のコンピュータ・プログラム製品。
［発明３５］
前記コンピュータ読取可能媒体はさらに、前記受信したコマンド・セットにしたがって前記セキュア・ストレージをプログラムするためのコードを備える発明３４に記載のコンピュータ・プログラム製品。
［発明３６］
前記コンピュータ読取可能媒体はさらに、前記しきい値を含む要求書を送信するためのコードを備え、前記プログラムするコマンド・セットは、前記要求書に含まれるしきい値に基づく発明３５に記載のコンピュータ・プログラム製品。
［発明３７］
前記コンピュータ読取可能媒体はさらに、前記要求書を収集することを備える発明３６に記載のコンピュータ・プログラム製品。
［発明３８］
前記収集された要求書は、コンテンツ・サービス・プロバイダから提供される発明３７に記載のコンピュータ・プログラム製品。
［発明３９］
前記コンピュータ読取可能媒体はさらに、前記比較が好結果である場合、前記コンテンツが閲覧されることを許可し、前記比較が好結果ではない場合、前記コンテンツが閲覧されることを拒否するためのコードを備える発明３１に記載のコンピュータ・プログラム製品。
［発明４０］
好結果の比較とは、前記コンテンツのレーティングが、前記しきい値以下であるか、あるいは、前記しきい値未満である発明３９に記載のコンピュータ・プログラム製品。
［発明４１］
コンテンツ閲覧を規制するしきい値をセキュア・ストレージにプログラムすることを容易にする方法であって、
補助エンティティによって提供された通信からしきい値を読み取ることと、
この読み取られたしきい値を前記セキュア・ストレージがインプリメントするためのコマンド・セットを、生成することとを備え、
前記生成されたコマンド・セットは、前記セキュア・ストレージにしきい値をプログラムするために使用される方法。
［発明４２］
前記補助エンティティは、コンテンツ・サービス・プロバイダであり、前記セキュア・ストレージは、ユニバーサル集積回路カードであるか、コンテンツ閲覧可能なモバイル・デバイスに存在しているか、その組み合わせである発明４１に記載の方法。
［発明４３］
前記補助エンティティから通信を取得することをさらに備える発明４１に記載の方法。
［発明４４］
プログラムされたセキュア・ストレージを有するモバイル・デバイスを決定することをさらに備える発明４１に記載の方法。
［発明４５］
前記決定されたモバイル・デバイスへ、前記コマンド・セットを送信することをさらに備える発明４４に記載の方法。
［発明４６］
無線通信システムにおいて動作する装置であって、
補助エンティティによって提供された通信からしきい値を読み取り、この読み取られたしきい値を前記セキュア・ストレージがインプリメントするためのコマンド・セットを、生成するように構成された少なくとも１つのプロセッサを備え、
前記生成されたコマンド・セットは、前記セキュア・ストレージにしきい値をプログラムするために使用され、
前記装置はさらに、前記少なくとも１つのプロセッサに接続されたメモリを備える
装置。
［発明４７］
前記補助エンティティは、コンテンツ・サービス・プロバイダであり、前記セキュア・ストレージは、ユニバーサル集積回路カードであるか、コンテンツ閲覧可能なモバイル・デバイスに存在しているか、その組み合わせである発明４６に記載の装置。
［発明４８］
前記補助エンティティから通信を収集する取得部をさらに備える発明４６に記載の装置。
［発明４９］
プログラムされたセキュア・ストレージを有するモバイル・デバイスを決定する決定部をさらに備える発明４６に記載の装置。
［発明５０］
前記決定されたモバイル・デバイスへ、前記コマンド・セットを送信する送信部をさらに備える発明４９に記載の装置。
［発明５１］
コンテンツ閲覧を規制するしきい値をセキュア・ストレージにプログラムすることを容易にする無線通信装置であって、
補助エンティティによって提供された通信からしきい値を読み取る手段と、
この読み取られたしきい値を前記セキュア・ストレージがインプリメントするためのコマンド・セットを生成する手段とを備え、
前記生成されたコマンド・セットは、前記セキュア・ストレージにしきい値をプログラムするために使用される装置。
［発明５２］
前記補助エンティティはコンテンツ・サービス・プロバイダであり、前記セキュア・ストレージは、ユニバーサル集積回路カードであるか、コンテンツ閲覧可能なモバイル・デバイスに存在しているか、その組み合わせである発明５１に記載の装置。
［発明５３］
前記補助エンティティから通信を取得する手段をさらに備える発明５１に記載の装置。
［発明５４］
プログラムされたセキュア・ストレージを有するモバイル・デバイスを決定する手段をさらに備える発明５１に記載の装置。
［発明５５］
前記決定されたモバイル・デバイスへ、前記コマンド・セットを送信する手段をさらに備える発明５４に記載の装置。
［発明５６］
コンピュータ・プログラム製品であって、
補助エンティティによって提供された通信からしきい値を読み取るためのコードと、
この読み取られたしきい値を前記セキュア・ストレージがインプリメントするためのコマンド・セットを生成するためのコードと、
を備えたコンピュータ読取可能媒体を備え、
前記生成されたコマンド・セットは、前記セキュア・ストレージにしきい値をプログラムするために使用されるコンピュータ・プログラム製品。
［発明５７］
前記補助エンティティはコンテンツ・サービス・プロバイダであり、前記セキュア・ストレージは、ユニバーサル集積回路カードであるか、コンテンツ閲覧可能なモバイル・デバイスに存在しているか、その組み合わせである発明５６に記載のコンピュータ・プログラム製品。
［発明５８］
前記コンピュータ読取可能媒体はさらに、前記補助エンティティから通信を取得するためのコードを備える発明５６に記載のコンピュータ・プログラム製品。
［発明５９］
前記コンピュータ読取可能媒体はさらに、プログラムされたセキュア・ストレージを有するモバイル・デバイスを決定するためのコードを備える発明５６に記載のコンピュータ・プログラム製品。
［発明６０］
前記コンピュータ読取可能媒体はさらに、前記決定されたモバイル・デバイスへ、前記コマンド・セットを送信するためのコードを備える発明５９に記載のコンピュータ・プログラム製品。
【図１】
0005507442.tif 000002
【図２】
0005507442.tif 000003
【図３】
0005507442.tif 000004
【図４】
0005507442.tif 000005
【図５】
0005507442.tif 000006
【図６】
0005507442.tif 000007
【図７】
0005507442.tif 000008
【図８】
0005507442.tif 000009
【図９】
0005507442.tif 000010
【図１０】
0005507442.tif 000011
【図１１】
0005507442.tif 000012
【図１２】
0005507442.tif 000013
【図１３】
0005507442.tif 000014
【図１４】
0005507442.tif 000015
【図１５】
0005507442.tif 000016
【図１６】
0005507442.tif 000017